(57)【要約】【課題】子供向けの携帯電話機として、みまもりケータイ及びキッズケータイ等が知られていた。携帯電話機の利便性を向上できる技術が望まれていた。【解決手段】第１モードから、実行可能な機能が第１モードにおいて実行可能な機能とは異なる第２モードへの切替指示を外部装置から受信する指示受信部と、指示受信部が切替指示を受信したことに応じて、第１モードから第２モードに切り替えるモード切替部とを備える通信装置を提供する。【選択図】図３
2018074391.tif 000002
【特許請求の範囲】
【請求項１】
第１モードから、実行可能な機能が前記第１モードにおいて実行可能な機能とは異なる第２モードへの切替指示を外部装置から受信する切替指示受信部と、
前記指示受信部が前記切替指示を受信したことに応じて、前記第１モードから前記第２モードに切り替えるモード切替部と
を備える通信装置。
【請求項２】
前記第２モードは、前記第１モードよりも実行可能な機能が少ない、請求項１に記載の通信装置。
【請求項３】
複数の入力キーを備え、
前記第１モードと前記第２モードとは、前記複数の入力キーに割り当てられる機能が異なる、請求項１又は２に記載の通信装置。
【請求項４】
ディスプレイと、
第１の入力キー及び第２の入力キーを含む複数の入力キーと、
前記ディスプレイの表示をオフにするスリープ状態が解除された通常状態から、予め定められた条件が満たされた場合に前記スリープ状態に移行する状態移行部と、
前記第２モードにおいて、前記通常状態において前記第１の入力キーが操作された場合及び前記スリープ状態において前記第１の入力キーが操作された場合、予め定められた宛先に対して発呼し、前記通常状態において前記第２の入力キーが操作された場合、前記第２の入力キーに対応する機能を実行する機能実行部と、
を備え、
前記状態移行部は、前記第２モードにおいて、前記スリープ状態において前記第２の入力キーが操作された場合、前記スリープ状態から前記通常状態に移行する、請求項１又は２に記載の通信装置。
【請求項５】
前記切替指示受信部は、ＳＭＳ（Ｓｈｏｒｔ  Ｍｅｓｓａｇｅ  Ｓｅｒｖｉｃｅ）を介して前記切替指示を受信する、請求項１から４のいずれか一項に記載の通信装置。
【請求項６】
前記モード切替部が前記第１モードから前記第２モードに切り替えたことに応じて、前記第１モードから前記第２モードに切り替わったことを通知する通知データを前記外部装置に送信する切替通知部を備える、請求項１から５のいずれか一項に記載の通信装置。
【請求項７】
前記切替指示受信部は、前記第２モードから前記第１モードへの切替指示を受信し、
前記モード切替部は、前記指示受信部が前記第２モードから前記第１モードへの切替指示を受信したことに応じて、前記第２モードから前記第１モードに切り替える、請求項１から６のいずれか一項に記載の通信装置。
【請求項８】
前記第２モードにおけるデフォルト設定を格納する設定格納部と、
前記モード切替部が前記第１モードから前記第２モードに切り替えたことに応じて、前記デフォルト設定に基づいて設定を初期化する初期化部と
を備える、請求項１から７のいずれか一項に記載の通信装置。
【請求項９】
複数の電話番号を格納する番号格納部
を備え、
前記第２モードは、前記第１モードよりも、前記番号格納部に格納されている前記複数の電話番号のうち表示可能な電話番号の数が少ない、請求項１から８のいずれか一項に記載の通信装置。
【請求項１０】
前記通信装置の設定を変更する変更指示を設定変更装置から受信する変更指示受信部と、
前記変更指示に対応する変更内容を要求する変更内容要求を前記設定変更装置に送信する変更内容要求部と、
前記変更内容要求に応じて前記設定変更装置が送信した前記変更内容を受信する変更内容受信部と、
前記変更内容に基づいて設定変更を実行する設定変更部と
を備える、請求項１から９のいずれか一項に記載の通信装置。
【請求項１１】
前記変更内容要求部は、時間に関する予め定められた条件が満たされた場合に、前記変更内容要求を前記設定変更装置に送信する、請求項１０に記載の通信装置。
【請求項１２】
前記切替指示受信部は、前記設定変更装置から前記切替指示を受信する、請求項１０又は１１に記載の通信装置。
【請求項１３】
前記通信装置は、携帯電話機である、請求項１から１２のいずれか一項に記載の通信装置。
【請求項１４】
コンピュータを請求項１から１３のいずれか一項に記載の通信装置として機能させるためのプログラム。
【発明の詳細な説明】
【技術分野】
【０００１】
本発明は、通信装置及びプログラムに関する。
【背景技術】
【０００２】
子供向けの携帯電話機として、みまもりケータイ及びキッズケータイ（登録商標）等が知られていた（例えば、特許文献１参照）。
［先行技術文献］
［特許文献］
［特許文献１］特開２０１５−１１９３１６号公報
【発明の概要】
【発明が解決しようとする課題】
【０００３】
携帯電話機の利便性を向上できる技術が望まれていた。
【課題を解決するための手段】
【０００４】
本発明の第１の態様によれば、通信装置が提供される。通信装置は、第１モードから、実行可能な機能が第１モードにおいて実行可能な機能とは異なる第２モードへの切替指示を外部装置から受信する指示受信部を備えてよい。通信装置は、指示受信部が切替指示を受信したことに応じて、第１モードから第２モードに切り替えるモード切替部を備えてよい。
【０００５】
上記第２モードは、上記第１モードよりも実行可能な機能が少なくてよい。上記通信装置は、複数の入力キーを備えてよく、上記第１モードと上記第２モードとは、上記複数の入力キーに割り当てられる機能が異なってよい。上記通信装置は、ディスプレイと、第１の入力キー及び第２の入力キーを含む複数の入力キーと、上記ディスプレイの表示をオフにするスリープ状態が解除された通常状態から、予め定められた条件が満たされた場合に上記スリープ状態に移行する状態移行部と、上記第２モードにおいて、上記通常状態において上記第１の入力キーが操作された場合及び上記スリープ状態において上記第１の入力キーが操作された場合、予め定められた宛先に対して発呼し、上記通常状態において上記第２の入力キーが操作された場合、上記第２の入力キーに対応する機能を実行する機能実行部とを備えてよく、上記状態移行部は、上記スリープ状態において上記第２の入力キーが操作された場合、上記スリープ状態から上記通常状態に移行してよい。
【０００６】
上記切替指示受信部は、ＳＭＳ（Ｓｈｏｒｔ  Ｍｅｓｓａｇｅ  Ｓｅｒｖｉｃｅ）を介して上記切替指示を受信してよい。上記通信装置は、上記モード切替部が上記第１モードから上記第２モードに切り替えたことに応じて、上記第１モードから上記第２モードに切り替わったことを通知する通知データを上記外部装置に送信する切替通知部を備えてよい。上記切替指示受信部は、上記第２モードから上記第１モードへの切替指示を受信してよく、上記モード切替部は、上記指示受信部が上記第２モードから上記第１モードへの切替指示を受信したことに応じて、上記第２モードから上記第１モードに切り替えてよい。
【０００７】
上記通信装置は、上記第２モードにおけるデフォルト設定を格納する設定格納部と、上記モード切替部が上記第１モードから上記第２モードに切り替えたことに応じて、上記デフォルト設定に基づいて設定を初期化する初期化部とを備えてよい。上記通信装置は、複数の電話番号を格納する番号格納部を備えてよく、上記第２モードは、上記第１モードよりも、上記番号格納部に格納されている上記複数の電話番号のうち表示可能な電話番号の数が少なくてよい。
【０００８】
上記通信装置は、上記通信装置の設定を変更する変更指示を設定変更装置から受信する変更指示受信部と、上記変更指示に対応する変更内容を要求する変更内容要求を上記設定変更装置に送信する変更内容要求部と、上記変更内容要求に応じて上記設定変更装置が送信した上記変更内容を受信する変更内容受信部と、上記変更内容に基づいて設定変更を実行する設定変更部とを備えてよい。上記変更内容要求部は、時間に関する予め定められた条件が満たされた場合に、上記変更内容要求を上記設定変更装置に送信してよい。上記切替指示受信部は、上記設定変更装置から上記切替指示を受信してよい。上記通信装置は、携帯電話機であってよい。
【０００９】
本発明の第２の態様によれば、コンピュータを、上記通信装置として機能させるためのプログラムが提供される。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】通信装置１００の通信環境の一例を概略的に示す。
【図２】通信装置１００の外観の一例を概略的に示す。
【図３】通信装置１００の機能構成の一例を概略的に示す。
【図４】通信装置１００の通信環境の一例を概略的に示す。
【図５】通信端末２００、設定変更サーバ４００、及び通信装置１００による処理の流れの一例を概略的に示す。
【図６】通信端末２００、設定変更サーバ４００、及び通信装置１００による処理の流れの一例を概略的に示す。
【図７】通信装置１００の機能構成の一例を概略的に示す。
【図８】通信装置１００として機能するコンピュータ９００のハードウエア構成の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、通信装置１００の通信環境の一例を概略的に示す。通信装置１００は、例えば、携帯電話機である。なお、通信装置１００は、通信機能を有する他の任意の装置であってもよい。例えば、通信装置１００は、タブレット端末及びＰＣ（Ｐｅｒｓｏｎａｌ  Ｃｏｍｐｕｔｅｒ）等であってもよい。
【００１４】
本実施形態に係る通信装置１００は、第１モードから第２モードへの切替指示を外部装置から受信したことに応じて、第１モードから第２モードに切り替える。第１モードと第２モードとは、実行可能な機能が異なる。通信装置１００は、例えば、外部装置から切替指示を受信したことに応じて、通常モードから、法人顧客に見合う利用用途に適した機能を提供する法人モードに切り替える。通常モードは第１モードの一例であり、法人モードは第２モードの一例である。
【００１５】
例えば、法人モードは、通常モードと比較して実行可能な機能が少ない。すなわち、法人モードは、通常モードに対して、一部の機能が制限されてよい。また、例えば、法人モードと通常モードとは、ＵＩ（Ｕｓｅｒ  Ｉｎｔｅｒｆａｃｅ）、キーアサイン、及び各種設定値の少なくともいずれかが異なる。
【００１６】
外部装置からの切替指示に応じて通常モードから法人モードに切替可能にすることによって、例えば、通常モードとして通信装置１００を市場に供給した後、用途に応じて法人モードに切り替えることができる。通信装置１００は、通信装置１００を直接操作することによっては、通常モードから法人モードへ切り替えられなくてよい。通信装置１００は、外部装置からの切替指示のみによって通常モードから法人モードに切替可能であってよい。これにより、例えば、法人モードに切り替えることによって機能を制限したにもかかわらず、通信装置１００の使用者が通常モードに切り替えることによって機能の制限を解除してしまうことを防止できる。
【００１７】
さらに、通信装置１００は、法人モードから通常モードへの切替指示を外部装置から受信したことに応じて、法人モードから通常モードに切替可能であってよい。これにより、例えば、通信装置１００を一の使用者に法人モードで使用させた後、通信装置１００を回収して、他の使用者に通常モードで使用させるといった運用を行うことができる。
【００１８】
通信装置１００は、複数の入力キーを有してよい。通信装置１００は、一の入力キーが操作されたことに応じて予め定められた連絡先に発呼するワンタッチコール機能を有してよい。ここで、通常モードと法人モードとでは、ワンタッチコール機能が割り当てられる入力キーが異なってよい。
【００１９】
通常モードと法人モードとでは、いわゆるスリープ状態において実行できる機能が異なってよい。通信装置１００のスリープ状態とは、例えば、通信装置１００が動作を一時的に停止させ、節電状態で待機する状態であってよい。スリープ状態においては、例えば、通信装置１００のディスプレイの表示がオフにされる。
【００２０】
通信装置１００は、通常モードであり、かつ、スリープ状態である場合、ワンタッチコール機能が割り当てられている入力キー（ワンタッチコールキーと記載する場合がある。）及びワンタッチコールキー以外の入力キーに対する操作に応じてスリープ状態を解除してよい。また、通信装置１００は、法人モードであり、かつ、スリープ状態である場合、ワンタッチコールキーに対する操作に応じてワンタッチコール機能を実行し、ワンタッチコールキー以外の入力キーに対する操作に応じてスリープ状態を解除してよい。すなわち、通信装置１００は、法人モードにおいては、スリープ状態であっても、ワンタッチコール機能を実行可能としてよい。これにより、通信装置１００を法人モードで使用することによって、通信装置１００をナースコールボタン及び会社受付の呼出鈴等の代替として活用することができる。
【００２１】
通常モードと法人モードとは、電話帳に関する機能が異なってよい。例えば、法人モードにおいて表示可能な連絡先の数は、通常モードにおいて表示可能な連絡先の数よりも少ない。また、例えば、法人モードにおいて登録可能な連絡先の数は、通常モードにおいて登録可能な連絡先の数よりも少ない。具体例として、通常モードでは、いわゆる１１０番、１１８番及び１１９番などの緊急連絡先の他に１０件の連絡先を登録可能とし、法人モードでは、緊急連絡先の他に１件の連絡先を登録可能とする。
【００２２】
なお、通常モードにおいて１０件の連絡先が登録されている状態で法人モードに切り替える場合、通信装置１００は、例えば、１０件の連絡先のうち１件を法人モードにおける連絡先とする。通信装置１００は、例えば、１０件の連絡先のうち、ワンタッチコール機能を実行する場合の連絡先を、法人モードにおける連絡先とする。通信装置１００は、他の９件の連絡先を削除してもよく、また、保持しておいてもよい。当該他の９件の連絡先を保持しておく場合、通信装置１００は、当該他の９件を表示しないように管理してよい。通信装置１００は、法人モードから通常モードに切り替える場合に、保持しておいた他の９件の連絡先を表示可能に管理してよい。これにより、法人モードから通常モードに再切り替えを行う場合に、連絡先を復元可能にできる。
【００２３】
通常モードと法人モードとは、メールを表示する機能が異なってよい。例えば、通常モードではメールの表示を可能とし、法人モードでは緊急速報メール以外のメールの表示を禁止する。
【００２４】
通常モードと法人モードとは、入力キーに対する操作を無効にするキーロックのオンオフを切り替えるキーロック機能が異なってよい。例えば、通常モードでは、キーロック機能を無効にすることを禁止し、法人モードではキーロック機能を無効にすることを可能にする。
【００２５】
通信装置１００は、例えば、法人モードにおいて、キーロック機能を無効にする無効指示を外部装置から受信したことに応じて、キーロック機能を無効にする。これにより、例えば、被介護者、高齢者、及び入院患者等が通信装置１００を使用する場合において、誤ってキーロックをオンにしてしまい、緊急時及び非常時等に発呼の妨げとなってしまうことを防止できる。
【００２６】
通信装置１００は、さらに、キーロック機能を有効にする有効指示を外部装置から受信した場合、キーロック機能を有効にしてよい。これにより、キーロックが必要になった場合には、キーロックの使用を可能にすることができる。
【００２７】
通信装置１００は、通信装置１００を直接操作することによっては、キーロック機能を無効にしたり、有効にしたりすることができなくしてよい。通信装置１００は、外部装置からの無効指示のみによってキーロック機能を無効にしてよく、外部装置からの有効指示のみによってキーロック機能を有効にしてよい。これにより、例えば、キーロック機能を無効にしたにもかかわらず、通信装置１００の使用者がキーロック機能を有効にしてしまうことを防止できる。
【００２８】
なお、通信装置１００は、通常モードであるか法人モードであるかにかかわらず、キーロック機能を無効にしたり、有効にしたりすることができるようにしてもよい。例えば、通信装置１００は、キーロック機能を無効にする無効指示を外部装置から受信した場合、通常モードであるか法人モードであるかにかかわらず、キーロック機能を無効にする。また、例えば、通信装置１００は、キーロック機能を有効にする有効指示を外部装置から受信した場合、通常モードであるか法人モードであるかにかかわらず、キーロック機能を有効にする。
【００２９】
通信装置１００は、無線基地局１２又はＡＰ（Ａｃｃｅｓｓ  Ｐｏｉｎｔ）１４と、ネットワーク１０とを介して管理サーバ３００と通信する。管理サーバ３００は、外部装置の一例であってよい。ネットワーク１０は、例えば、インターネット及び電話網を含む。図１では一の通信装置１００を例示しているが、管理サーバ３００は、複数の通信装置１００と通信してよい。
【００３０】
通信装置１００は、ＳＭＳ（Ｓｈｏｒｔ  Ｍｅｓｓａｇｅ  Ｓｅｒｖｉｃｅ）を介して、管理サーバ３００から切替指示を受信してよい。すなわち、ＳＭＳがコマンドメールとして使用されてよい。
【００３１】
通信装置１００は、管理サーバ３００からＳＭＳを介して切替指示を受信したことに応じてモード切替を実行してよく、モードを切り替えたことに応じて、モードが切り替わったことを通知する通知データを管理サーバ３００に送信してよい。通知データは、例えば、モードが切り替わったことを通知する内容を含むＥメールである。通信装置１００は、モードを切り替えた場合に、バックグラウンドメールとして、通知データを管理サーバ３００に送信してよい。これにより、通信装置１００のモードを管理サーバ３００において管理可能にできる。
【００３２】
管理サーバ３００は、例えば、オーナ３０の指示に従って、切替指示を通信装置１００に送信する。オーナ３０は、例えば、通信装置１００を購入して、使用者に提供する提供者である。また、オーナ３０は、例えば、通信装置１００をリースして、使用者に提供する提供者である。
【００３３】
オーナ３０は、通信端末２００を用いて、ネットワーク１０を介して管理サーバ３００に切替指示の送信を指示してよい。通信端末２００は、管理サーバ３００と通信可能であれば任意の端末であってよい。例えば、通信端末２００は、携帯電話機、タブレット端末、及びＰＣ等である。管理サーバ３００は、通信装置１００を管理するための管理サイトを提供してよい。オーナ３０は、通信端末２００を用いて管理サイトにログインし、管理サイト上で管理サーバ３００に、通信装置１００に対して切替指示を送信させる指示を行ってよい。
【００３４】
通信装置１００は、通信装置１００の位置を測位する測位機能を有してよい。通信装置１００は、ＧＰＳ（Ｇｌｏｂａｌ  Ｐｏｓｉｔｉｏｎｉｎｇ  Ｓｙｓｔｅｍ）を用いた測位方法であるＧＰＳ測位を実行可能であってよい。通信装置１００は、無線基地局１２及びＡＰ１４の少なくともいずれかの位置に基づくＮＷ（Ｎｅｔｗｏｒｋ）測位を実行可能であってよい。
【００３５】
通信装置１００は、他の装置から位置測位要求を受信したことに応じて、測位結果を当該他の装置に送信してよい。通信装置１００は、例えば、ＮＷ測位の測位結果がある場合、ＮＷ測位の測位結果を当該他の装置に送信し、ＮＷ測位の測位結果がない場合、ＧＰＳ測位の測位結果を当該他の装置に送信する。通常時であればＧＰＳ測位よりもＮＷ測位の方が、測位精度が高いことから、これによって、より精度の高い測位結果を当該他の装置に提供することができる。
【００３６】
本実施形態に係る通信装置１００は、ＮＷ測位を無効にする無効指示を外部装置から受信した場合、その後に受信した位置測位要求に対しては、ＮＷ測位の測位結果は送信せずに、ＧＰＳ測位の測位結果を送信してよい。例えば、通信装置１００は、ＮＷ測位を無効にする無効指示を外部装置から受信した場合、ＮＷ測位を無効に設定する。そして、通信装置１００は、位置測位要求を受信した際にＮＷ測位が無効に設定されていた場合、ＧＰＳ測位の測位結果を、位置測位要求の送信元に送信してよい。なお、通信装置１００は、ＮＷ測位を有効にする有効指示を外部装置から受信した場合、ＮＷ測位を有効に設定してよい。
【００３７】
ＮＷ測位において、ＧＰＳ測位よりも大きな誤差が発生する場合がある。ＮＷ測位の測位結果は、通信装置１００の実際の位置とは大きく異なる位置を示す場合がある。これに対して、本実施形態に係る通信装置１００によれば、外部装置から無効指示を通信装置１００に送信することによってＮＷ測位を無効にすることができるので、通信装置１００の実際の位置とは大きく異なる位置を示す測位結果を通信装置１００が報告し続けてしまうことを防止できる。これにより、例えば、ある企業が社員に通信装置１００を携帯させ、勤怠管理のために通信装置１００の位置を収集するような場合に、通信装置１００の実際の位置とは大きく異なる位置を示す測位結果を報告させないようにすることによって、適切に勤怠管理を行うことが可能となる。
【００３８】
通信装置１００は、通信装置１００を直接操作することによっては、ＮＷ測位を無効にしたり、有効にしたりすることができなくしてよい。通信装置１００は、外部装置からの無効指示のみによってＮＷ機能を無効にしてよく、外部装置からの有効指示のみによってＮＷ機能を有効にしてよい。これにより、例えば、ＮＷ機能を無効にしたにもかかわらず、通信装置１００の使用者がＮＷ機能を有効にしてしまうことを防止できる。
【００３９】
図２は、通信装置１００の外観の一例を概略的に示す。通信装置１００は、ディスプレイ１０１及び複数の入力キー１０２を備える。
【００４０】
複数の入力キー１０２は、センターキー１０３、上キー１０４、下キー１０５、左キー１０６、右キー１０７、左ソフトキー１０８、及び右ソフトキー１０９を含む。なお、複数の入力キー１０２は、これらのうちの一部のみを含んでもよく、また、これら以外のキーを含んでもよい。また、図２のキーデザインは一例であり、他のキーデザインであってもよい。
【００４１】
複数の入力キー１０２のうちの一の入力キーに、キーロック機能が割り当てられてよい。例えば、上キー１０４の長押しに対してキーロック機能が割り当てられる。上キー１０４が長押しされたことを検知した場合、通信装置１００は、キーロックのオンオフを切り替える。
【００４２】
通信装置１００が外部装置からキーロック機能を無効にする無効指示を受信した場合、通信装置１００は、キーロック機能を無効にする。キーロック機能が無効にされた状態で、上キー１０４が長押しされた場合、通信装置１００は、長押しに対する処理は何も実行しなくてよい。なお、通信装置１００は、キーロック機能が無効にされた状態で上キー１０４が長押しされた場合に、キーロック機能が無効になっている旨を使用者に通知してもよい。通信装置１００は、例えば、表示出力及び音声出力の少なくともいずれかによって、キーロック機能が無効になっている旨を使用者に通知する。通信装置１００は、キーロックがオンになっている状態でキーロック機能を無効にする無効指示を受信した場合、キーロックをオフにしたうえでキーロック機能を無効にしてよい。
【００４３】
通常モードと法人モードとは、複数の入力キー１０２に割り当てられる機能が異なってよい。例えば、通常モードでは、左ソフトキー１０８にワンタッチコール機能が割り当てられ、法人モードでは、センターキー１０３にワンタッチコール機能が割り当てられる。
【００４４】
通信装置１００は、通常モードであり、かつ、スリープ状態である場合に、複数の入力キー１０２のいずれかが操作された場合、スリープ状態から通常状態に移行してよい。通信装置１００は、通常モードであり、かつ、通常状態である場合に、左ソフトキー１０８が操作された場合、ワンタッチコール機能を実行してよい。
【００４５】
通信装置１００は、法人モードにおいては、スリープ状態においても通常状態においても、センターキー１０３が操作された場合、ワンタッチコール機能を実行してよい。通信装置１００は、法人モードであり、かつ、スリープ状態である場合に、センターキー１０３以外の入力キーが操作された場合、スリープ状態から通常状態に移行してよい。
【００４６】
図３は、通信装置１００の機能構成の一例を概略的に示す。通信装置１００は、設定格納部１１２、番号格納部１１４、切替指示受信部１２２、モード切替部１２４、切替通知部１２６、初期化部１２８、機能実行部１３０、状態移行部１３２、無効指示受信部１４２、有効指示受信部１４３、機能設定部１４４、ＧＰＳ測位実行部１５２、ＮＷ測位実行部１５４、測位要求受信部１５６、測位結果送信部１５８、及びＮＷ測位設定部１６０を備える。なお、通信装置１００がこれらのすべての構成を備えることは必須とは限らない。
【００４７】
設定格納部１１２は、第１モードにおけるデフォルト設定及び第２モードにおけるデフォルト設定を格納してよい。デフォルト設定は、キーアサイン、壁紙、及び音量等の各種設定を含んでよい。
【００４８】
番号格納部１１４は、複数の電話番号を格納する。番号格納部１１４は、オーナ３０によって登録された電話番号を格納してよい。番号格納部１１４は、使用者によって登録された電話番号を格納してよい。番号格納部１１４は、複数の緊急連絡先のそれぞれに対応する電話番号を格納してよい。
【００４９】
切替指示受信部１２２は、第１モードから第２モードへの切替指示を外部装置から受信する。切替指示受信部１２２は、第２モードから第１モードへの切替指示を外部装置から受信してよい。切替指示受信部１２２は、例えば、ＳＭＳを介して切替指示を受信する。
【００５０】
モード切替部１２４は、切替指示受信部１２２が第１モードから第２モードへの切替指示を外部装置から受信したことに応じて、第１モードから第２モードに切り替える。モード切替部１２４は、切替指示受信部１２２が第２モードから第１モードへの切替指示を外部装置から受信したことに応じて、第２モードから第１モードに切り替えてよい。モード切替部１２４は、切替指示の送信元が予め登録された外部装置であるか否かを判定してよく、予め登録された外部装置であると判定した場合に切替を実行し、予め登録された外部装置でないと判定した場合、切替を実行しなくてよい。
【００５１】
番号格納部１１４は、モード切替部１２４が第１モードから第２モードに切り替えたことに応じて、格納している複数の電話番号のうち、表示可能な電話番号の数を減少させてよい。例えば、番号格納部１１４は、複数の緊急連絡先のそれぞれに対応する電話番号と、オーナ３０又は使用者によって登録された一の電話番号以外の電話番号を非表示とするよう管理してよい。
【００５２】
切替通知部１２６は、モード切替部１２４が第１モードから第２モードに切り替えたことに応じて、第１モードから第２モードに切り替わったことを通知する通知データを外部装置に送信する。切替通知部１２６は、モード切替部１２４によって第２モードから第１モードに切り替えられた場合に、第２モードから第１モードに切り替わったことを通知する通知データを外部装置に送信してよい。通知データは、例えば、Ｅメールである。
【００５３】
切替通知部１２６は、通信装置１００が第２モードである状態において、切替指示受信部１２２が第１モードから第２モードへの切替指示を外部装置から受信した場合にも、通知データを外部装置に送信してよい。当該通知データは、第１モードから第２モードに切り替わったことを通知するものであってよく、また、すでに第２モードになっていることを通知するものであってもよい。
【００５４】
初期化部１２８は、モード切替部１２４が第１モードから第２モードに切り替えたことに応じて、設定格納部１１２に格納されている第２モードにおけるデフォルト設定に基づいて設定を初期化する。初期化部１２８は、モード切替部１２４が第２モードから第１モードに切り替えたことに応じて、設定格納部１１２に格納されている第１モードにおけるデフォルト設定に基づいて設定を初期化してよい。
【００５５】
機能実行部１３０は、各種操作に対応する機能を実行する。機能実行部１３０は、例えば、番号格納部１１４に格納されている複数の電話番号から選択された電話番号に対する発呼処理を実行する。機能実行部１３０は、例えば、ワンタッチコールキーに対する操作に応じて、ワンタッチコール機能を実行する。機能実行部１３０は、例えば、キーロック機能が割り当てられている入力キーに対する操作に応じて、キーロックのオンオフを切り替える。
【００５６】
状態移行部１３２は、ディスプレイ１０１の表示をオフにするスリープ状態が解除された通常状態から、スリープ状態に移行する。状態移行部１３２は、予め定められた条件が満たされた場合に、通常状態からスリープ状態に移行してよい。例えば、状態移行部１３２は、通信装置１００に対する操作が予め定められた期間行われなかった場合に、通常状態からスリープ状態に移行する。また、例えば、状態移行部１３２は、スリープ状態に移行する指示に応じて、通常状態からスリープ状態に移行する。
【００５７】
機能実行部１３０は、第１モードであり、かつ、通常状態である場合において、複数の入力キー１０２のうちのいずれかが操作された場合、操作された入力キーに対応する機能を実行する。機能実行部１３０は、第２モードであり、かつ、通常状態である場合において、複数の入力キー１０２のうちのいずれかが操作された場合、操作された入力キーに対応する機能を実行する。
【００５８】
機能実行部１３０は、第２モードであり、かつ、スリープ状態である場合において、ワンタッチコールキーが操作された場合、ワンタッチコール機能を実行する。ワンタッチコールキーは、第１の入力キーの一例であってよい。ワンタッチコールキー以外の入力キーは、第２の入力キーの一例であってよい。
【００５９】
状態移行部１３２は、第１モードであり、かつ、スリープ状態である場合において、複数の入力キー１０２のいずれかが操作された場合、スリープ状態から通常状態に移行する。状態移行部１３２は、第２モードであり、かつ、スリープ状態である場合において、ワンタッチコールキー以外の入力キーが操作された場合、スリープ状態から通常状態に移行する。
【００６０】
無効指示受信部１４２は、キーロック機能を無効にする無効指示を外部装置から受信してよい。無効指示受信部１４２は、ＮＷ測位を無効にする無効指示を外部装置から受信してよい。
【００６１】
有効指示受信部１４３は、キーロック機能を有効にする有効指示を外部装置から受信してよい。有効指示受信部１４３は、ＮＷ測位を有効にする有効指示を外部装置から受信してよい。
【００６２】
機能設定部１４４は、無効指示受信部１４２がキーロック機能を無効にする無効指示を外部装置から受信したことに応じて、キーロック機能を無効にしてよい。機能設定部１４４は、有効指示受信部１４３がキーロック機能を有効にする有効指示を外部装置から受信したことに応じて、キーロック機能を有効にしてよい。
【００６３】
ＧＰＳ測位実行部１５２は、ＧＰＳ測位を実行する。ＮＷ測位実行部１５４は、ＮＷ測位を実行する。
【００６４】
測位要求受信部１５６は、位置測位要求を受信する。測位要求受信部１５６は、例えばＳＭＳを介して位置測位要求を受信してよい。
【００６５】
測位結果送信部１５８は、測位要求受信部１５６が位置測位要求を受信したことに応じて、測位結果を送信する。測位結果送信部１５８は、位置測位要求の送信元に対して測位結果を送信してよい。
【００６６】
測位結果送信部１５８は、無効指示受信部１４２がＮＷ測位を無効にする無効指示を受信していない場合、ＮＷ測位実行部１５４によるＮＷ測位の測位結果を送信してよい。測位結果送信部１５８は、無効指示受信部１４２がＮＷ測位を無効にする無効指示を受信していた場合、ＮＷ測位実行部１５４によるＮＷ測位の測位結果は送信せずに、ＧＰＳ測位実行部１５２によるＧＰＳ測位の測位結果を送信してよい。
【００６７】
測位結果送信部１５８は、ＧＰＳ測位の測位結果を送信する場合、ＧＰＳ測位実行部１５２によって既に測定されていた測位結果を送信してよい。また、測位結果送信部１５８は、ＧＰＳ測位の測位結果を送信する場合、ＧＰＳ測位実行部１５２にＧＰＳ測位を実行させて、当該実行によって取得された測位結果を送信してもよい。
【００６８】
測位結果送信部１５８は、ＮＷ測位の測位結果を送信する場合、ＮＷ測位実行部１５４によって既に測定されていた測位結果を送信してよい。また、測位結果送信部１５８は、ＮＷ測位の測位結果を送信する場合、ＮＷ測位実行部１５４にＮＷ測位を実行させて、当該実行によって取得された測位結果を送信してもよい。
【００６９】
ＮＷ測位設定部１６０は、無効指示受信部１４２がＮＷ測位を無効にする無効指示を受信したことに応じて、ＮＷ測位を無効に設定してよい。ＮＷ測位設定部１６０は、有効指示受信部１４３がＮＷ測位を有効にする有効指示を受信したことに応じて、ＮＷ測位を有効にしてよい。
【００７０】
測位結果送信部１５８は、測位要求受信部１５６が位置測位要求を受信した場合であって、ＮＷ測位が有効に設定されている場合、ＮＷ測位の測位結果を送信し、ＮＷ測位が無効に設定されている場合、ＧＰＳ測位の測位結果を送信してよい。
【００７１】
図４は、通信装置１００の通信環境の一例を概略的に示す。ここでは、図１と異なる点を主に説明する。通信装置１００は、ネットワーク１０を介して設定変更サーバ４００と通信する。通信装置１００は、設定変更サーバ４００から受信したデータに基づいて、各種設定を変更する。通信装置１００は、例えば、ＵＩ、キーアサイン、及び設定値の少なくともいずれかを変更する。通信装置１００は、例えば、番号格納部１１４に格納されている電話番号、ワンタッチコール機能による発信先、壁紙、及び音量等の設定を変更する。
【００７２】
図５は、通信端末２００、設定変更サーバ４００、及び通信装置１００による処理の流れの一例を概略的に示す。ステップ（ステップをＳと省略して記載する場合がある。）５０２では、通信端末２００が、変更内容を含む設定変更指示を設定変更サーバ４００に送信する。
【００７３】
Ｓ５０４では、設定変更サーバ４００が、通信端末２００から設定変更指示を受信した旨をＳＭＳによって通信装置１００に通知する。Ｓ５０６では、通信装置１００が、設定変更サーバ４００に対して変更内容要求を送信する。Ｓ５０８では、設定変更サーバ４００が、Ｓ５０２において受信した設定変更指示に含まれる変更内容を通信装置１００に送信する。通信装置１００は、Ｓ５０８において受信した変更内容に従って設定を変更する。
【００７４】
図６は、通信端末２００、設定変更サーバ４００、及び通信装置１００による処理の流れの一例を概略的に示す。ここでは、通信装置１００が、定期的に設定変更サーバ４００に対して変更内容要求を送信する場合の処理の流れの一例を示す。
【００７５】
Ｓ６０２では、通信装置１００が、設定変更サーバ４００に対して、変更内容要求を送信する。Ｓ６０４では、設定変更サーバ４００が、変更がない旨をＳＭＳによって通信装置１００に通知する。
【００７６】
Ｓ６０６では、通信端末２００が、設定変更指示を設定変更サーバ４００に送信する。Ｓ６０８では、設定変更サーバ４００が、通信端末２００から設定変更指示を受信した旨をＳＭＳによって通信装置１００に通知する。ここでは、ＳＭＳがロストして、通信装置１００に到達しなかった場合について説明を続ける。
【００７７】
Ｓ６１０では、通信装置１００が、設定変更サーバ４００に対して、変更内容要求を送信する。Ｓ６１２では、設定変更サーバ４００が、Ｓ６０６において受信した設定変更指示に含まれる変更内容を通信装置１００に送信する。上述したように、通信装置１００が定期的に設定変更サーバ４００に対して変更内容要求を送信することによって、設定変更通知がロストした場合であっても、通信端末２００が送信した設定変更指示に含まれる変更内容を通信装置１００に反映させることができる。
【００７８】
図７は、通信装置１００の機能構成の一例を概略的に示す。ここでは、図３と異なる点を主に説明する。通信装置１００は、図３に示す構成に加えて、変更指示受信部１６２、変更内容要求部１６４、変更内容受信部１６６、及び設定変更部１６８を備える。なお、通信装置１００がこれらのすべての構成を備えることは必須とは限らない。
【００７９】
変更指示受信部１６２は、通信装置１００の設定を変更する変更指示を設定変更サーバ４００から受信する。設定変更サーバ４００は、設定変更装置の一例であってよい。
【００８０】
変更内容要求部１６４は、変更指示受信部１６２が受信した変更指示に対応する変更内容を要求する変更内容要求を設定変更サーバ４００に送信する。変更内容要求部１６４は、時間に関する予め定められた条件が満たされた場合に、変更内容要求を設定変更サーバ４００に送信してもよい。変更内容要求部１６４は、例えば、予め定められた期間が経過する毎に、変更内容要求を設定変更サーバ４００に送信する。
【００８１】
変更内容受信部１６６は、変更内容要求部１６４が送信した変更内容要求に応じて設定変更サーバ４００が送信した変更内容を受信する。設定変更部１６８は、変更内容受信部１６６が受信した変更内容に基づいて設定変更を実行する。
【００８２】
切替指示受信部１２２は、第１モードから第２モードへの切替指示を設定変更サーバ４００から受信してもよい。設定変更サーバ４００は、例えば、通信端末２００から切替指示を受信して、受信した切替指示を通信装置１００に対してＳＭＳを用いて送信してよい。
【００８３】
設定変更サーバ４００は、通信端末２００から切替指示を受信した場合、当該切替指示を保持してよい。設定変更サーバ４００は、例えば、予め定められた期間、当該切替指示を保持する。切替指示受信部１２２は、設定変更サーバ４００に対して、定期的に切替指示の有無を確認してよい。これにより、設定変更サーバ４００が通信装置１００に対して送信した切替指示が、通信装置１００に到達せずにロストした場合であっても、通信装置１００は、切替指示の存在を把握することができる。
【００８４】
図８は、通信装置１００として機能するコンピュータ９００のハードウエア構成の一例を示す。本実施形態に係るコンピュータ９００は、ＳｏＣ９１０、メインメモリ９２２、フラッシュメモリ９２４、アンテナ９３２、アンテナ９３４、アンテナ９３６、ディスプレイ９４０、マイク９４２、及びスピーカ９４４を備える。
【００８５】
ＳｏＣ９１０は、メインメモリ９２２及びフラッシュメモリ９２４に格納されたプログラムに基づいて動作し、各部の制御を行う。アンテナ９３２は、いわゆるセルラーアンテナである。アンテナ９３４は、いわゆるＷｉＦｉ（登録商標）アンテナである。ＳｏＣ９１０は、アンテナ９３２及びアンテナ９３４を用いて、各種通信機能を実現してよい。ＳｏＣ９１０は、例えば、アンテナ９３２又はアンテナ９３４を用いてＳｏＣ９１０が使用するプログラムを受信して、フラッシュメモリ９２４に格納してよい。
【００８６】
アンテナ９３６は、いわゆるＧＰＳアンテナである。通信装置１００は、アンテナ９３２、アンテナ９３４、及びアンテナ９３６を用いて測位機能を実行してよい。通信装置１００は、アンテナ９３２及びアンテナ９３４の少なくともいずれかを用いてＮＷ測位を実行してよい。通信装置１００は、アンテナ９３６を用いてＧＰＳ測位を実行してよい。
【００８７】
ＳｏＣ９１０は、ディスプレイ９４０を用いて各種表示機能を実現してよい。ＳｏＣ９１０は、マイク９４２を用いて各種音声入力機能を実現してよい。ＳｏＣ９１０は、スピーカ９４４を用いて各種音声出力機能を実現してよい。
【００８８】
コンピュータ９００にインストールされ、コンピュータ９００を通信装置１００として機能させるプログラムは、ＳｏＣ９１０等に働きかけて、コンピュータ９００を、通信装置１００の各部としてそれぞれ機能させてよい。これらのプログラムに記述された情報処理は、コンピュータ９００に読込まれることにより、ソフトウエアと上述した各種のハードウエア資源とが協働した具体的手段である設定格納部１１２、番号格納部１１４、切替指示受信部１２２、モード切替部１２４、切替通知部１２６、初期化部１２８、機能実行部１３０、状態移行部１３２、無効指示受信部１４２、有効指示受信部１４３、機能設定部１４４、ＧＰＳ測位実行部１５２、ＮＷ測位実行部１５４、測位要求受信部１５６、測位結果送信部１５８、ＮＷ測位設定部１６０、変更指示受信部１６２、変更内容要求部１６４、変更内容受信部１６６、及び設定変更部１６８として機能する。そして、これらの具体的手段によって、本実施形態におけるコンピュータ９００の使用目的に応じた情報の演算又は加工を実現することにより、使用目的に応じた特有の通信装置１００が構築される。
【００８９】
以上の説明において、管理サーバ３００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、管理サーバ３００として機能してもよい。プログラムは、コンピュータ読み取り可能な媒体又はネットワークに接続された記憶装置から、管理サーバ３００の少なくとも一部を構成するコンピュータにインストールされてよい。コンピュータにインストールされ、コンピュータを本実施形態に係る管理サーバ３００として機能させるプログラムは、ＣＰＵ等に働きかけて、コンピュータを、管理サーバ３００の各部としてそれぞれ機能させる。これらのプログラムに記述された情報処理は、コンピュータに読込まれることにより、ソフトウエアと管理サーバ３００のハードウエア資源とが協働した具体的手段として機能する。
【００９０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９１】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００９２】
１０  ネットワーク、１２  無線基地局、１４  ＡＰ、３０  オーナ、１００  通信装置、１０１  ディスプレイ、１０２  入力キー、１０３  センターキー、１０４  上キー、１０５  下キー、１０６  左キー、１０７  右キー、１０８  左ソフトキー、１０９  右ソフトキー、１１２  設定格納部、１１４  番号格納部、１２２  切替指示受信部、１２４  モード切替部、１２６  切替通知部、１２８  初期化部、１３０  機能実行部、１３２  状態移行部、１４２  無効指示受信部、１４３  有効指示受信部、１４４  機能設定部、１５２  ＧＰＳ測位実行部、１５４  ＮＷ測位実行部、１５６  測位要求受信部、１５８  測位結果送信部、１６０  ＮＷ測位設定部、１６２  変更指示受信部、１６４  変更内容要求部、１６６  変更内容受信部、１６８  設定変更部、２００  通信端末、３００  管理サーバ、４００  設定変更サーバ、９００  コンピュータ、９１０  ＳｏＣ、９２２  メインメモリ、９２４  フラッシュメモリ、９３２  アンテナ、９３４  アンテナ、９３６  アンテナ、９４０  ディスプレイ、９４２  マイク、９４４  スピーカ
【図１】
2018074391.tif 000003
【図２】
2018074391.tif 000004
【図３】
2018074391.tif 000005
【図４】
2018074391.tif 000006
【図５】
2018074391.tif 000007
【図６】
2018074391.tif 000008
【図７】
2018074391.tif 000009
【図８】
2018074391.tif 000010